(57)【要約】【課題】電動機の回転駆動力およびファンの設置スペースを効率良く利用することができ、かつ軸ブレを抑制することができる空調装置を提供する。【解決手段】室１２内の空気を取り込みかつ取り込んだ空気を送出可能であり、大きな風量での空気の取込および送出が可能な回転方向が一致され、同一直線上に回転軸線を有する２つの遠心送風ファン３７、３８と、両遠心送風ファン３７、３８の間に配置され両遠心送風ファン３７、３８を回転駆動させる電動機３３と、室１２と両遠心送風ファン３７、３８の取込側とを連通する取込風路Ｏと、両遠心送風ファン３７、３８の送出側と室と１２を連通する吹出風路Ｐと、両遠心送風ファン３７、３８の送出側と室１２の外部とを連通する排出風路Ｑと、両遠心送風ファン３７、３８の送出側に設けられ吹出風路を塞ぐ姿勢と前記排出風路を塞ぐ姿勢との間で変位自在とされたダンパ３４とを備える。【選択図】図５
2007107848.tif 000002
【特許請求の範囲】
【請求項１】
空気を取り込みかつ取り込んだ空気を送出可能であり、空気の取り込みが可能な回転方向が一致され、同一直線上に回転軸線を有する２つの遠心送風ファンと、該両遠心送風ファンの間に配置され該両遠心送風ファンを回転駆動させる電動機と、対応する室と前記両遠心送風ファンの取込側とを連通する取込風路と、前記両遠心送風ファンの送出側と前記室とを連通する吹出風路と、前記両遠心送風ファンの送出側と前記室を除く空間とを連通する排出風路と、前記両遠心送風ファンの送出側に設けられ前記吹出風路を塞ぐ姿勢と前記排出風路を塞ぐ姿勢との間で変位自在とされたダンパとを備えることを特徴とする空調装置。
【請求項２】
前記両遠心送風ファンは、回転軸線方向で見て前記電動機に臨む面が取込側とされていることを特徴とする請求項１に記載の空調装置。
【請求項３】
前記両遠心送風ファンは、回転軸線方向で見て前記電動機と反対側に位置する面が取込側とされていることを特徴とする請求項１に記載の空調装置。
【請求項４】
前記吹出風路には、加熱手段が設けられていることを特徴とする請求項１ないし請求項３のいずれか１項に記載の空調装置。
【請求項５】
請求項１ないし請求項４のいずれか１項に記載の空調装置を備えたことを特徴とする建物。
【発明の詳細な説明】
【技術分野】
【０００１】
本発明は、室内の空気の循環および室内の換気を行うことができる空調装置およびこの空調装置を備えた建物に関し、特に浴室およびサニタリー空間等の室に用いるのに好適な空調装置およびこの空調装置を備えた建物に関する。
【背景技術】
【０００２】
建物では、その内方に形成された室、例えば浴室の空気調節を行うために、浴室の空気を取り込みかつ取り込んだ空気を浴室に吹き出すことにより浴室内の空気を循環させる運転と、浴室の空気を取り込みかつ取り込んだ空気を外部に排出することにより浴室内を換気する運転とを切り替えることができる空調装置が設けられているものがある。この空調装置には、取り込んだ空気を浴室へ向けて送出する循環用ファンおよび取り込んだ空気を外部へ向けて送出する換気用ファンの２つのファンと、この両ファンを回転駆動させる単一の電動機とを備えるものがある。このものは、両側に突出する単一の回転軸を有する電動機が用いられ、循環用ファンおよび換気用ファンが大きな風量での空気の取込および送出が可能な回転方向すなわち有効回転方向が相反するように、回転軸の一側に循環用ファンがかつ回転軸の他側に換気用ファンが取り付けられており、電動機の回転方向を切り換えることにより循環運転および換気運転を切り換えることができる（例えば、特許文献１参照。）。
【０００３】
また、循環運転および換気運転を切り換え可能な空調装置には、１つのファンと、このファンが一側に突出する回転軸の突出端部に取り付けられた単一の電動機と、可動ダンパとを備えるものがある。このものは、浴室とファンの取込側とを連通する取込風路と、ファンの送出側と浴室とを連通する吹出風路と、ファンの送出側と建物の外部とを連通する排出風路とを有し、可動ダンパがファンの送出側に配置されかつ吹出風路を塞ぐ姿勢と排出風路を塞ぐ姿勢との間で変位自在とされており、ファンを回転駆動させつつダンパの姿勢を制御することにより循環運転および換気運転を切り換えることができる（例えば、特許文献２参照。）。
【特許文献１】特開平６−２６６７９７号公報（第２−７頁、第１図）
【特許文献２】特開２００３−２９４２８９号公報（第２−７頁、第３図）
【発明の開示】
【発明が解決しようとする課題】
【０００４】
しかしながら、単一の電動機で２つのファンを回転駆動させる空調装置では、循環用ファンと換気用ファンとを有効回転方向を相反させて同一の回転軸で支持し、かつ所望のファンの有効回転方向に応じた回転駆動力を適宜出力することで循環および換気の運転の切り換えを行っているので、所望のファンを有効回転方向に回転駆動することに伴って他方のファンを有効回転方向と逆方向に回転駆動させることとなり、電動機の回転駆動力およびファンの設置スペースを効率良く利用することができず、限られた空間内で大きな風量を得るには不向きである。
【０００５】
また、ダンパで風路を切り換える空調装置では、上記した２つのファンを有する空調装置に比較して同等の設置スペースに略倍の大きさのファンを設けることが可能であるが、突出端部にファンが取り付けられた回転軸を他端側で電動機が支持する構成であり、回転軸の突出端にはファンの回転駆動に伴って軸線方向と直交する方向の力が作用し、この力は回転軸の長さおよびファンの大きさの増加に伴って大きくなることから、回転軸に軸ブレが生じる虞がある。
【０００６】
そこで、本発明の目的は、電動機の回転駆動力およびファンの設置スペースを効率良く利用することができ、かつ軸ブレを抑制することができる空調装置を提供することにある。
【課題を解決するための手段】
【０００７】
上記した課題を解決するために、請求項１に記載の空調装置は、空気を取り込みかつ取り込んだ空気を送出可能であり、空気の取り込みが可能な回転方向が一致され、同一直線上に回転軸線を有する２つの遠心送風ファンと、該両遠心送風ファンの間に配置され該両遠心送風ファンを回転駆動させる電動機と、対応する室と前記両遠心送風ファンの取込側とを連通する取込風路と、前記両遠心送風ファンの送出側と前記室とを連通する吹出風路と、前記両遠心送風ファンの送出側と前記室を除く空間とを連通する排出風路と、前記両遠心送風ファンの送出側に設けられ前記吹出風路を塞ぐ姿勢と前記排出風路を塞ぐ姿勢との間で変位自在とされたダンパとを備えることを特徴とする。
【０００８】
請求項２に記載の空調装置は、請求項１に記載の空調装置であって、前記両遠心送風ファンは、回転軸線方向で見て前記電動機に臨む面が取込側とされていることを特徴とする。
【０００９】
請求項３に記載の空調装置は、請求項１に記載の空調装置であって、前記両遠心送風ファンは、回転軸線方向で見て前記電動機と反対側に位置する面が取込側とされていることを特徴とする。
【００１０】
請求項４に記載の空調装置は、請求項１ないし請求項３のいずれか１項に記載の空調装置であって、前記吹出風路には、加熱手段が設けられていることを特徴とする。
【００１１】
請求項５に記載の建物は、請求項１ないし請求項４のいずれか１項に記載の空調装置を備えたことを特徴とする。
【発明の効果】
【００１２】
本発明に係る空調装置によれば、空気の取り込みが可能な回転方向すなわち有効回転方向が一致するように２つの遠心送風ファンが設けられているため、一定の回転方向で両遠心送風ファンを有効回転方向に回転駆動することができ、一方の遠心送風ファンが有効回転方向と逆方向に回転駆動されることはないので、電動機の回転駆動力およびファンの設置スペースを効率良く利用することができる。また、２つの遠心送風ファンが電動機を挟んで配置される構成であるので、１つのファンで構成される空調装置と比較して、同等の設置スペースであっても、例えば略半分の大きさの遠心送風ファンを２つ用いることにより略等しい風量を得ることができ、軸ブレを抑制することができる。
【発明を実施するための最良の形態】
【００１３】
本発明を図１ないし図９に示した各実施例に沿って詳細に説明する。
【実施例１】
【００１４】
図１は、本発明の空調装置１０を備えた建物１１を模式的に示す断面図であり、浴室１２の周辺を拡大して示している。図２は、空調装置１０を模式的に示す斜視図である。
【００１５】
空調装置１０は、図１に示すように、実施例１では、浴室用空調装置であり、浴室１２の天井部１３に設けられている。天井部１３には、浴室１２に開放する天井開口１４が設けられており、空調装置１０は、後述する本体ケース１５（図３参照。）の下部が天井開口１４から浴室１２に露出するように設置されている。
【００１６】
浴室１２は、浴槽１６と洗い場１７とランドリパイプ１８とが設けられた閉鎖空間であり、開閉自在な浴室ドア１９を経て洗面所２０との出入りが可能とされている。浴室ドア１９には、その下部に空気取入口２１が形成されており、浴室ドア１９が閉ざされている際の洗面所２０から浴室１２への空気の通路とされている。ランドリパイプ１８は、浴室１２の天井部１３の近傍で、浴室１２を掛け渡すように設けられた棒体であり、例えば洗濯物等を掛けることができる。
【００１７】
図３は、図２に示したＩ−Ｉ線に沿って得られた断面図であり、図４は、図３に示したII−II線に沿って得られた断面図であり、図５は、図４に示したIII−III線に沿って得られた断面図である。
【００１８】
空調装置１０は、図２に示すように、本体ケース１５と、フロントパネル２２とを有する。本体ケース１５は、略直方体形状を呈し、底面にフランジ部２３が形成され、側壁に排出口２４（図４および図５参照。）が設けられている。本体ケース１５は、浴室１２側から天井開口１４に嵌合され、かつフランジ部２３が天井部１３に取り付けられて天井部１３に設置されている（図３および図５参照。）。排出口２４は、本体ケース１５の側壁を貫通する貫通孔であり、全体に筒形状を呈するジョイントノズル２５が取り付けられている。このジョイントノズル２５には、排出ダクト２６（図１参照。）が接続され、排出ダクト２６は、建物１１の外部に通じている。
【００１９】
フロントパネル２２は、全体に板形状を呈し、本体ケース１５の底面を覆いかつ本体ケース１５のフランジ部２３を取り囲むように本体ケース１５に取り付けられており（図３および図５参照。）、浴室１２の使用者が本体ケース１５の内部に触れることを防止している。フロントパネル２２には、空気の通過を許す取込口２７と吹出口２８とが設けられている。取込口２７は、後述する取込風路Ｏ（図３参照。）の浴室１２への開口個所であり、吹出口２８は、後述する吹出風路Ｐ（図５参照。）の浴室１２への開口個所である。取込口２７には、空気の通過を許し塵埃を捕獲するフィルタ２９が取り付けられており、浴室１２から交換可能とされている。
【００２０】
本体ケース１５は、図５に示すように、上下方向に伸びる仕切板３０により風路室３１と制御室３２とに区画されている。制御室３２は、後述するモータ３３（図３および図４参照。）、ダンパ３４およびヒータ３５等の駆動を制御する制御装置（図示せず。）が設置される個所であり、電源（図示せず。）および操作部３６（図１参照。）と電気的に接続されている。操作部３６は、洗面所２０に設けられており、後述するように、各運転モードを選択する入力操作が可能とされている。
【００２１】
風路室３１には、２つのファン３７、３８と、両ファン３７、３８の駆動源となるモータ３３（電動機）と、両ファン３７、３８を収容し風路の一部を規定するファンケース３９とが設けられている。
【００２２】
両ファン３７、３８は、取込口２７に臨む位置すなわち取込口２７の上方で互いに間隔を置いて配置されており、天井部１３に平行な同一直線上の回転軸線を有する。各ファン３７、３８は、円筒形状の周面に羽が設けられたシロッコファンであり、互いに等しい有効回転方向に設定されている。この有効回転方向とは、回転駆動することにより空気の取り込みが可能な回転方向、すなわち回転駆動することにより大きな風量での空気の取込および送出を行うことができる回転方向であり、各ファン３７、３８は、有効回転方向に回転駆動されると端面から空気を取り込み（図３矢印Ｏ参照。）、取り込んだ空気を周面から送出する（図５矢印Ｐおよび矢印Ｑ参照。）。両ファン３７、３８は、モータ３３から付与される回転駆動力により回転駆動する。
【００２３】
モータ３３は、図４に示すように、両ファン３７、３８の間でモータ取付板４０に取り付けられている。モータ取付板４０は、仕切板３０に直交しかつ上下方向に伸長する板部材であり、モータ支持孔４１が形成されており、このモータ支持孔４１に嵌合されたモータ３３を支持している。モータ３３は、制御装置および電源（図示せず。）と電気的に接続されており、天井部１３と平行でかつモータ取付板４０と直交する回転軸４２を有する。
【００２４】
回転軸４２は、モータ３３に回転可能に支持され、モータ３３の回転駆動力が伝達される出力軸であり、モータ３３を貫通して両側に突出され、その各端部に各ファン３７、３８が取り付けられている。この両ファン３７、３８は、回転軸４２を介してモータ３３から付与された回転駆動力によりファンケース３９の内方で回転駆動される。
【００２５】
ファンケース３９は、２つのファン収容部４３と風路形成部４４とを有する。各ファン収容部４３は、図４に示すように、各ファン３７、３８に対応して設けられており、モータ３３およびモータ取付板４０を介して対向している。各ファン収容部４３は、間隔を置いて各ファン３７、３８を取り囲む一端開放の円筒形状（図５参照。）を呈しており、その周壁に形成された周壁開口４５（図５参照。）で風路形成部４４に通じている。各ファン収容部４３の開放端４６は、それぞれがモータ３３に臨むように設定されており、それぞれにベルマウスが形成されている。各ファン収容部４３は、開放端４６を経て取込口２７に通じている。
【００２６】
風路形成部４４は、各ファン収容部４３の周壁開口４５に通じる２つの分岐部分４７と、各分岐部分４７に通じる合流部分４８とを有する。合流部分４８は、各分岐部分４７と反対の側で、排出口２４に通じかつ吹出口２８に通じている。風路形成部４４の吹出口２８に臨む個所には、吹出口２８に適合する吹出接続口４９（図５参照。）が形成されており、吹出接続口４９には、ヒータ３５が設けられている。ヒータ３５は、電力の供給を受けると周囲に熱を伝達可能な加熱手段である。
【００２７】
各ファン３７、３８は、モータ３３から回転駆動力が付与されて有効回転方向に回転駆動すると、取込口２７およびファンケース３９の各開放端４６を経て浴室１２の空気を取り込み（図３矢印Ｏ参照。）、周面から送出する。この送出された空気は、ファンケース３９の各ファン収容部４３を通り、風路形成部４４の各分岐部分４７および合流部分４８を経て、排出口２４および吹出口２８へ向かう（図５矢印Ｐおよび矢印Ｑ参照。）。このため、取込口２７からファンケース３９内の各ファン３７、３８に至る個所が取込風路Ｏ（図３参照。）となり、ファンケース３９内において各ファン３７、３８から排出口２４に至る個所が排出風路Ｑ（図５参照。）となり、ファンケース３９内において各ファン３７、３８から吹出口２８至る個所が吹出風路Ｐ（図５参照。）となる。ファンケース３９の風路形成部４４に導かれた空気が排出風路Ｑおよび吹出風路Ｐを通過する量を調節するためにダンパ３４（図５参照。）が設けられている。
【００２８】
ダンパ３４は、図５に示すように、アーム部５０と支持部５１とを有し、カム機構５２により動作可能とされ、ファンケース３９内に設けられている。アーム部５０は、ファンケース３９の合流部分４８の内壁面に摺動可能に当接する板部材であり、支持部５１により回動自在に支持されている。カム機構５２は、アーム部５０に設けられたカム溝板５３と、ファンケース３９に設けられた回転板５４とを有し、回転板５４の外周近傍に設けられたカムピン５５がカム溝板５３に設けられたカム溝５６に係合されている。回転板５４は、前述した制御装置（図示せず。）により駆動制御されており、アーム部５０の姿勢を変位させる。
【００２９】
アーム部５０が、ファンケース３９の下部３９ａと当接した下方姿勢（図６参照。）とされると、取込風路Ｏと排出風路Ｑとが連通した状態となり、取込口２７から取り入れられた空気は排出口２４へと導かれ、排出ダクト２６を経て建物１１の外部へと排出される。アーム部５０が、ファンケース３９の上部３９ｂと当接した上方姿勢（図７参照。）とされると、取込風路Ｏと吹出風路Ｐとが連通した状態となり、取込口２７から取り入れられた空気は吹出口２８へと導かれ、浴室１２に吹き出される。
【００３０】
空調装置１０は、図１に示すように、浴室１２に設けられた操作部３６に入力された操作に応じて、モータ３３を駆動させ、ダンパ３４およびヒータ３５等を適宜調節する。
【００３１】
空調装置１０は、操作部３６の操作によって、運転モードの１つである換気モードが選択されると、ダンパ３４を下方姿勢として排出風路Ｑを開放し（図６参照。）、浴室１２の空気を両ファン３７、３８の吸引力で取り込み（矢印Ａ参照。）、ファンケース３９内の排出風路Ｑを通過させて建物１１の外部に排出する（矢印Ｂ参照。）。この際、浴室１２は、空気が外部へ排出されて負圧となり、浴室ドア１９の空気取入口２１を経て洗面所２０の空気が浴室１２へと流入するので（矢印Ｃ参照。）、浴室１２が換気される。
【００３２】
また、空調装置１０は、操作部３６の操作により暖房モードが選択されると、ダンパ３４を上方姿勢として吹出風路Ｐを開放し（図７参照。）かつヒータ３５を通電させて、浴室１２の空気を両ファン３７、３８の吸引力で取り込み（矢印Ａ参照。）、取り込んだ浴室１２の空気をファンケース３９内の吹出風路Ｐを通過させかつヒータ３５で暖めて吹出口２８から浴室１２に吹き出す（矢印Ｄ参照。）。これにより、入浴前に浴室内を暖める予備暖房として空調装置１０を機能させることが可能となる。
【００３３】
さらに、空調装置１０は、予備暖房だけでなく、入浴中の暖房として利用することができる。入浴中の暖房を行う場合には、入浴暖房モードを新たに設け、吹出口２８にルーバを設けることにより、入浴者に直接風が当たらないように洗い場以外の方向に風の吹出方向を向けることが望ましい。また、入浴暖房では、予備暖房よりもモータ３３の回転数を低回転にして吹出口２８から吹き出される温風量を少なくしてもよい。
【００３４】
空調装置１０は、操作部３６の操作により衣類乾燥モードが選択されると、ダンパ３４を中間姿勢（図５参照。）として排出風路Ｑおよび吹出風路Ｐを開放しかつヒータ３５を通電させて、取込口２７を経て取り込んだ浴室１２の空気を暖めて吹出口２８から浴室１２内に吹き出す（矢印Ｄ参照。）とともに、浴室１２の空気を排出口２４から建物１１の外部に排出する（矢印Ｂ参照。）循環換気を行うことができる。この循環換気によって浴室で、例えば、ランドリパイプ１８に掛けた衣類の乾燥等を行うことが可能となる。
【００３５】
空調装置１０は、操作部３６の操作により涼風モードが選択されると、ヒータ３５を通電させない状態で上述した乾燥モードの動作を行い、浴室１２を循環換気することができる。この循環換気によって、夏場のような暑さを感じる際に扇風機として利用することができる。
【００３６】
空調装置１０では、衣類乾燥モードとは別に浴室乾燥モードを設け、両ファン３７、３８を駆動させ、かつダンパ３４を中間姿勢とし、浴室１２から取り込んだ空気を浴室１２に吹き出すと共に建物１１の外部に排出して、浴室１２の壁面及び床面を乾燥させるようにしてもよい。
【００３７】
また、乾燥、換気、涼風の浴室１２を換気する機能がある運転モードでは、建物１１の外部へ排出する空気の量と、浴室１２へ送出する空気の量とを調整するために、ダンパ３４の回動姿勢を上記した３段階ではなく、排出風路Ｑと吹出風路Ｐとの開度調整を行えるような構成としても良い。
【００３８】
本発明に係る空調装置１０では、有効回転方向が一致するように２つのファン３７、３８が設けられているため、一方の回転方向でモータ３３が回転軸４２を回転駆動させると、両ファン３７、３８が有効回転方向に回転駆動する。このように、両ファン３７、３８のいずれか一方が有効回転方向と逆方向に回転駆動されることはないので、モータ３３の回転駆動力および両ファン３７、３８の設置スペースを効率良く利用することができる。
【００３９】
空調装置１０では、両ファン３７、３８がモータ３３の両側に突出する回転軸４２の両端部に取り付けられる構成であるので、従来ように１つのファンで構成される空調装置と比較して、同等の設置スペースで略等しい風量を得ることができ、軸ブレを抑制することができる。
【００４０】
空調装置１０では、両ファン３７、３８の吸引力により、取込口２７から取り込まれた浴室１２の空気がファンケース３９の各ファン収容部４３の開放端４６からファンケース３９内に流入する。各開放端４６は、モータ３３およびモータ取付板４０に臨んでいるので、流入する空気がモータ３３の近傍を通過することとなり（図３矢印Ｏ参照。）、モータ３３を冷却することができる。これにより、モータ３３が加熱されることによる駆動効率の低減を抑制することができ、モータ３３を良好な状態で作動させることができる。
【００４１】
したがって、本発明に係る空調装置１０では、モータ３３の回転駆動力および両ファン３７、３８の設置スペースを効率良く利用することができ、かつ軸ブレを抑制することができる。
【実施例２】
【００４２】
次に、実施例２の空調装置１００について説明する。空調装置１００は、フロントパネル２２０の取込口２７０、ファンケース３９の各ファン収容部４３０およびその開放端４６０が変更された例である。空調装置１００は、その基本的な構成は実施例１と同様であるので、同一機能部分には実施例１と同一の符号を付し、その詳細な説明は省略する。
【００４３】
図８は、図３と同様の断面図であり、図９は、図８に示したIV−IV線に沿って得られた断面図であり、図１０は、フロントパネル２２０を示す模式的な斜視図である。
【００４４】
取込口２７０は、図８および図１０に示すように、フロントパネル２２０の側壁に形成されており、フロントパネル２２０の側方から浴室１２の空気の取り込みが可能とされている（図８矢印Ｏ´参照。）。これは、近年空調装置では、室（実施例２では浴室１２）内に居る使用者から見て、フロントパネルの開口部が小さなデザインおよび空調装置の内部が見えないデザインが要求されており、この要求に応じた一例である。
【００４５】
空調装置の内部が見えないデザインが要求されており、この要求に応じた一例である。
【００４６】
空調装置１００では、フロントパネル２２０の側方に設けられた取込口２７０に応じて、ファンケース３９の各ファン収容部４３０に設けられた開放端４６０がモータ３３と反対側の面に位置されている。この開放端４６０と取込口２７０との間での空気の通路を確保するために、ファンケース３９の各ファン収容部４３０は、モータ３３およびモータ取付板４０に近接しかつ本体ケース１５と間隔を置く位置に設定され、この各ファン収容部４３０の内方に各ファン３７、３８が収容されている。各ファン３７、３８は、回転駆動されると開放端４６０を経て空気を取り込み、この空気を周面から送出するように設定されている。
【００４７】
実施例２に係る空調装置１００は、実施例１と同様に、モータ３３の回転駆動力および両ファン３７、３８の設置スペースを効率良く利用することができ、かつ軸ブレを抑制することができる。
【００４８】
また、空調装置１００では、側方から空気を取り込む構成のフロントパネル２２０が採用された場合に、取込口２７０からファンケース３９内の各ファン３７、３８に至る取込風路Ｏの流路抵抗が増加することを抑制することができる。これは、次のことによる。
【００４９】
空調装置１００では、両ファン３７、３８が回転駆動されると、取込口２７０から取り込まれた浴室１２の空気が本体ケース１５と各ファン収容部４３０との間を通って各ファン収容部４３０の開放端４６０に導かれる（矢印Ｏ´参照。）。ところが、例えば実施例１の空調装置１０ようにモータ３３側に開放端４６が設けられていると、中央近傍で上下方向に空気を取り込む（図３矢印Ｏ参照。）。この空調装置１０に実施例２のフロントパネル２２０を用いると、取込口２７０から取り込まれた浴室１２の空気は、フロントパネル２２０とファンケース３９との間を水平方向に通過した後、各ファン収容部４３の間を上下方向に通過して各ファン３７、３８に到達することとなる。このため、取込口２７０からファンケース３９内の各ファン３７、３８に至る取込風路の長さが増加してしまうので、取込風路の流路抵抗が増加してしまう。また、フロントパネル２２０とファンケース３９との間、すなわちフロントパネル２２０の高さ寸法（上下方向に沿う寸法。）は、大きく設定してしまうと浴室１２側への突出量が増加してしまうことから、可能な限り小さいことが望ましく、僅少な値とされている。このため、フロントパネル２２０とファンケース３９との間により取込風路Ｏの一部が構成されていると、取込風路の流路抵抗が増加してしまう。
【００５０】
ところが、空調装置１００では、矢印Ｏ´で示すように、浴室１２の空気が、フロントパネル２２０の側方に設けられた取込口２７０からその近傍位置に設定された各ファン収容部４３０の開放端４６０を経て、各ファン３７、３８に吸い込まれる構成であるので、取込風路Ｏ´の流路抵抗が増加することを抑制することができる。
【００５１】
空調装置１００では、各ファン収容部４３０がモータ３３に近接する位置とされかつ開放端４６０がモータ３３と反対側の面に設定されたことにより、実施例１の空調装置１０と比較して各ファン３７、３８を軸支する回転軸４２０を短くすることができる。これにより、軸ブレが生じることをさらに低減することができる。
【００５２】
なお、上記した各実施例では、空調装置１０、１００は、浴室１２に設けられていたが、建物１１の内部に形成された室であれば、例えば、居室および化粧室等の室であっても空気の循環および換気を行うために用いることができ、上記した各実施例に限定されるものではない。
【００５３】
上記した各実施例では、空調装置１０、１００の排出風路Ｑは、建物１１の外部に接続されていたが、空調装置１０、１００が設置された室すなわち空調装置１０、１００が空気調節を行うために対応された室を除く空間に接続されていればよく、上記した各実施例に限定されるものではない。
【図面の簡単な説明】
【００５４】
【図１】本発明に係る空調装置が採用された建物を部分的に示す模式的な断面図である。
【図２】本発明に係る空調装置を示す模式的な斜視図である。
【図３】図２に示すＩ−Ｉ線に沿って得られた断面図である。
【図４】図３に示すII−II線に沿って得られた断面図である。
【図５】図４に示すIII−III線に沿って得られた断面図である。
【図６】図５と同様の断面図であり、ダンパが下方姿勢とされた状態を示している。
【図７】図５と同様の断面図であり、ダンパが上方姿勢とされた状態を示している。
【図８】本発明に係る空調装置の他の例を示す図３と同様の断面図である。
【図９】図８に示すIV−IV線に沿って得られた断面図である。
【図１０】図８の他の例のフロントパネルを示す模式的な斜視図である。
【符号の説明】
【００５５】
１０  空調装置
１１  建物
１２  （室としての）浴室
３３  （電動機としての）モータ
３４  ダンパ
３５  （加熱手段としての）ヒータ
３７、３８（遠心送風ファンとしての）ファン
Ｏ、Ｏ´  取込風路
Ｐ  吹出風路
Ｑ  排出風路
【図１】
2007107848.tif 000003
【図２】
2007107848.tif 000004
【図３】
2007107848.tif 000005
【図４】
2007107848.tif 000006
【図５】
2007107848.tif 000007
【図６】
2007107848.tif 000008
【図７】
2007107848.tif 000009
【図８】
2007107848.tif 000010
【図９】
2007107848.tif 000011
【図１０】
2007107848.tif 000012